(57)【要約】【構成】密閉された空間にドリルによる穿孔の際に生じるダストをドリルの回転に伴い自動的に収集できると共にドリルの長さ方向に可動なドリルのダスト収集可動部２とドリルのダスト収集可動部２を挿入できる缶体３とを備え、ドリルのダスト収集可動部２及び缶体３によりドリル４の回転部分の全周を被覆し、缶体３にはバネ３０１を内蔵し缶体３をドリルのダスト収集可動部２に付勢し、ドリルの穿孔長の調整が可能な機構３０２とドリルへの取付を可能とする機構３０４とドリルからの取外しを可能とする機構とを有してなるドリルアタッチメント１。【効果】  自動的にダストが収集され、ドリルの回転部分は作業者の手に触れないようになっているので安全で騒音も低減され、穿孔長の設定が簡単で設定穿孔長を保持でき、取付や取外しも簡単で、収納されたダストは容易に外部に排出でき、ハンマードリルの打撃反動が内蔵バネにより抑えられ、狭い天井のような所での作業も楽でダストが天井から落下してくるようなこともない。【選択図】        図１
2008023622.tif 000002
【特許請求の範囲】
【請求項１】
密閉された空間にドリルによる穿孔の際に生じるダストをドリルの回転に伴い自動的に収集できると共にドリルの長さ方向に可動なドリルのダスト収集可動部と当該ドリルのダスト収集可動部を挿入できる缶体とを備え、当該ドリルのダスト収集可動部及び当該缶体によりドリルの回転部分の全周を被覆し、当該缶体にはバネを内蔵し当該缶体を当該ドリルのダスト収集可動部に付勢し、ドリルの穿孔長の調整が可能な機構とドリルへの取付を可能とする機構とドリルからの取外しを可能とする機構とを有してなることを特徴とするドリルアタッチメント。
【請求項２】
先端刃部とストレ−ト部とを備え、且つ、該先端刃部が中央部と該中央部の両側に配された両側部とを有する山形形状に構成されてなることを特徴とするハンマ−ドリル用ドリル。
【請求項３】
ハンマ−ドリル用ドリルが、請求項１に記載のドリルアタッチメントにおけるドリルとして使用されることを特徴とする、請求項２に記載のハンマードリル用ドリル。
【発明の詳細な説明】
【技術分野】
【０００１】
本発明は、ドリルアタッチメント及びそれに専用のドリルに関するものである。
【背景技術】
【０００２】
ハンマードリルのダスト（切屑）の収集などを目的として、ハンマードリルのキリ（ドリル）に簡単に取付けられるものとしてカップ型受け具が提供されているが、ダストの収集が不完全で、しかも、ダストの飛散も多い。
人が背負ってダストを集塵するハンマードリル用背負型ダスト集塵機も提供されているが、集塵袋が目詰まりし、集塵ホースなどの器具がドリル作業の妨げとなる等使い勝手が悪く、又、障害物の多い天井の内部では、背中の集塵機（集塵装置）の移動などが容易ではなく、実用的ではない等の問題がある。
尚、ドリルの切屑の排出などを目的とした特許文献の例として、特開平８−２５７８１５号公報（カバーを設けたもので、切屑をカバー外部に排出させるようにしたもの）、特開２００６−１５０５５２号公報（カバーを設けたもので、切屑をカバー外部に排出させるようにしたもの）、特開平１０−０３７６５１号公報（吸い込み用ホースを備えたもの）、実開昭５７−６６６２０号公報（吸引ブロアを備えたもの）が挙げられる。
【０００３】
【特許文献１】特開平８−２５７８１５号公報、特開２００６−１５０５５２号公報、特開平１０−０３７６５１号公報）、実開昭５７−６６６２０号公報（
【発明の開示】
【発明が解決しようとする課題】
【０００４】
本発明は、上記のような従来技術に鑑み、新規なドリルアタッチメント及びそれに専用のドリルを提供することを目的としたものである。
本発明の他の目的および新規な特徴は以下の明細書及び図面の記載からも明らかになるであろう。
【課題を解決するための手段】
【０００５】
本発明の特許請求の範囲は、次の通りである。
（請求項１）  密閉された空間にドリルによる穿孔の際に生じるダストをドリルの回転に伴い自動的に収集できると共にドリルの長さ方向に可動なドリルのダスト収集可動部と当該ドリルのダスト収集可動部を挿入できる缶体とを備え、当該ドリルのダスト収集可動部及び当該缶体によりドリルの回転部分の全周を被覆し、当該缶体にはバネを内蔵し当該缶体を当該ドリルのダスト収集可動部に付勢し、ドリルの穿孔長の調整が可能な機構とドリルへの取付を可能とする機構とドリルからの取外しを可能とする機構とを有してなることを特徴とするドリルアタッチメント。
（請求項２）  先端刃部とストレ−ト部とを備え、且つ、該先端刃部が中央部と該中央部の両側に配された両側部とを有する山形形状に構成されてなることを特徴とするハンマ−ドリル用ドリル。
（請求項３）  ハンマ−ドリル用ドリルが、請求項１に記載のドリルアタッチメントにおけるドリルとして使用されることを特徴とする、請求項２に記載のハンマードリル用ドリル。
【発明の効果】
【０００６】
本願において開示される発明のうち代表的なものによって得られる効果を簡単に説明すれば、下記のとおりである。
すなわち、本発明によれば、既存のハンマードリルにドリルを取付固定し、ドリルアタッチメントで当該ドリルを覆い、ドリルのダスト収集可動部を移動させて当該ドリルの穿孔長を決定し、ドリルを回転させ穿孔を行うと、当該ドリルのダスト収集可動部に自動的にダストが収集され、ドリルの回転部分は作業者の手に触れないようになっているので、安全で、当該穿孔長の設定も簡単にでき、ドリルもその先端歯部が、中央部と該中央部の両側に配された両側部との３等分された山形に形成されているので、芯振れがなく、真円を穴開けすることができるなどの効果があり、当該ドリルアタッチメントの取付も簡単で、又、取り外しも簡単で、収納されたダストは、既存のハンマードリルを下向きにして、逆回転させれば、容易に外部に排出できる。当該ダストは、ドリルのダスト収集可動部のキャップなどを外すことによっても排出できる。
穿孔に際しては、設定された穿孔長が保持でき、設定された穿孔長での穿孔を終えることができる。ドリルアタッチメントは、そのドリルのダスト収集可動部及び缶体によりドリルの回転部分をカバーされているので、騒音も低減される。ハンマードリルの打撃反動が、内蔵バネにより抑えられ、又、従来の集塵装置のような集塵ホースなどを必要としないので、安価に提供でき、また、狭い天井のような所での作業が楽で、ダストが天井から落下してくるようなこともない。
【０００７】
次に、本発明の実施例を図面を参照しつつ説明する。
【実施例】
【０００８】
図１に示すように、ドリルアタッチメント１は、ドリルのダスト収集可動部２と缶体３とを備えてなる。
当該ドリルのダスト収集可動部２は、図１に示す図示例では、円筒状本体２００と底部２０１と当該底部から両側に突出した凸部２０２と当該底部から下方向に突出した突起部２０３とを有してなる。
当該ドリルのダスト収集可動部２の円筒状本体２００は、ドリル４が装着できるように開口されており、当該円筒状本体２００の上部には、ガイドキャップ２０４がＯ−リング２０５と共に装着され、又、当該ガイドキャップ２０４の上部には、クッションフイルター２０６が覆設されている。
当該クッションフイルター２０６の中央部やガイドキャップ２０４の中央部には、各々ドリル４が装着できるように穴が穴設されている。
当該クッションフイルター２０６は、穿孔作業時にコンクリート面などの作業面にドリルアタッチメントを密着させることができる。
穿孔作業時、ドリル４の回転と伴に、密閉された空間の円筒状本体２００内部に、ダスト（切屑）Ｄが自動的に収集される。
当該ドリルのダスト収集可動部２の円筒状本体２００の上部開口は、ガイドキャップ２０４及びクッションフイルター２０６により閉鎖されており、当該ダストＤが外部に漏れないようになっている。当該ダストＤは、外部に飛散しない。
当該ドリルのダスト収集可動部２の底部２０１の中央部にも、ドリル４が装着できるように穴が穴設されており、シール２０７にて、ダストＤが、当該ドリルのダスト収集可動部２から缶体３へと漏れないようになっている。
【０００９】
当該缶体３は、例えば、ドリルのダスト収集可動部２と同様に円筒状本体３００に構成されている。
当該缶体３の円筒状本体３００の上端部は開口され、図示のように、当該缶体３にドリルのダスト収集可動部２が挿着される。
缶体３は、バネ３０１を内蔵し、当該バネ３０１により、当該ドリルのダスト収集可動部２をドリル４の先端側に付勢している。
ドリルのダスト収集可動部２の凸部２０２と缶体３の上端フック部３０２とが噛合って、当該バネ３０１の付勢に対して当該ドリルのダスト収集可動部２が当該缶体３から脱れないようになっている。
当該バネ３０１により当該ドリルのダスト収集可動部２は可動で、一方、缶体３は固定されており、当該缶体３にドリルのダスト収集可動部２が挿着されると、図２に示すように、ドリル４の先端部をドリルのダスト収集可動部２から露出させることができる。
当該ドリルのダスト収集可動部２は、図２に示すように、缶体３の内部に挿入される。
缶体３には、ドリル４の穿孔長の調整が可能な機構３０２が設けられている。当該ドリル４の穿孔長調整機構３０２は、スライダー部３０２０と穿孔長調整固定部３０２１とを備えてなり、ドリルのダスト収集可動部２の突起部２０３が当該スライダー部３０２０と適宜位置で当接し、穿孔長調整固定部（ノブ）３０２１にて適宜位置で固定できる。
穿孔長に応じて、ドリルのダスト収集可動部２を缶体３の内部に挿入させ、当該ドリル４の穿孔長調整機構３０２により、その適切な穿孔長の調節を行うことができる。
当該バネ３０１の下端部には、バネストッパー３０３がビス３０３０により固着されており、当該バネ３０１が下端にて停止されるようになっている。
缶体３の下端部には、ドリルへの取付を可能とする機構３０４が設けられ、既存のハンマードリルＨに当該ドリルへの取付を可能とする機構３０４により取り付けられる。当該ドリルへの取付を可能とする機構３０４は、固定金具３０４０をノブ３０４１を回転させて締め付け固定して取り付けることができる。ワンタッチで取り付けできる。
ドリルのダスト収集可動部２の突起部２０３をスライドさせると、チャックスライダー３０５に作用してドリルチャックを解放し、ドリル４を当該ドリルアタッチメント１から取出しすることが出来るようになっている。尚、３０６はキリロック輪、３０７はキリロックバネである。
【００１０】
当該ドリル４は、図３（Ａ）にも示すように、先端刃部４００とストレ−ト部４０１とを備えてなり、その先端刃部４００の先端歯部４０００が、中央部と該中央部の両側に配された両側部とを有する山形形状に構成されてなる。
当該先端歯部４０００が、中央部と該中央部の両側に配された両側部との３等分された山形に形成されているので、穿孔時、先ず、中央部のキリ歯が小径穴を穿孔し、次いで、両側のキリ歯が外側を穿孔するようになるので、芯振れがなく、真円を穴開けすることができる。
上記のように、当該ドリル４について、ストレ−ト部４０１を設けることにより、ドリル４の縦貫通部分のダスト漏れを防止できる。当該ドリル４は、先端刃部４００の刃長は短く、軸長のストレ−ト部４０１をその根本から長くしてありドリル４の縦貫通部分のダスト漏れを防止できるようにしてある。
当該ドリル４は、ハンマードリル全般に適用できるが、特に、上記のドリルアタッチメント１の専用ドリルとして好適に使用できる。
本発明のドリルのダスト収集可動部２及び缶体３とを備えたドリルアタッチメント１は、当該先端刃部４００とストレ−ト部４０１とを備えたドリル（超硬ドリル）４の回転露出部分全体を全面カバーして安全に作業をなし得る。
【００１１】
本発明では、既存のハンマードリルＨにドリル４を取付固定し、ドリルアタッチメント１で当該ドリル４を覆い、ドリルのダスト収集可動部２を移動させて当該ドリル４の穿孔長を決定し、ドリル４を回転させ穿孔を行うと、当該ドリルのダスト収集可動部２に自動的にダストＤが収集され、ドリル４の回転部分は作業者の手に触れないようになっているので、安全で、当該穿孔長の設定も簡単にでき、ドリル４もその先端歯部４０００が、中央部と該中央部の両側に配された両側部との３等分された山形に形成されているので、芯振れがなく、真円を穴開けすることができるなどの効果があり、当該ドリルアタッチメント１の取付も簡単で、又、取り外しも簡単で、収納されたダストＤは、既存のハンマードリルＨを下向きにして、逆回転させれば、容易に外部に排出できる。当該ダストＤは、ドリルのダスト収集可動部２のキャップ２０４を外すことによっても排出できる。
穿孔に際しては、設定された穿孔長が保持でき、設定された穿孔長での穿孔を終えることができる。ドリルアタッチメント１は、そのドリルのダスト収集可動部２及び缶体３によりドリルの回転部分をカバーするので、騒音も低減される。ハンマードリルの打撃反動が、バネ３０１により抑えられ、又、従来の集塵装置のような集塵ホースなどを必要としないので、安価に提供でき、また、狭い天井のような所での作業が楽で、ダストが天井から落下してくるようなこともない。
【００１２】
本発明は上記実施例に限定されず、適宜変更が可能である。
【産業上の利用可能性】
【００１３】
本発明は、ハンマードリルに限定されず、各種のドリルを有する穿孔装置に適用できる。
【図面の簡単な説明】
【００１４】
【図１】本発明の実施例を示すドリルアタッチメントの構成図である。
【図２】本発明の実施例を示す使用状態の一例説明図である。
【図３】（Ａ）本発明の実施例を示すドリルの構成図である。        （Ｂ）本発明の実施例を示すドリルを取り外したドリルアタッチメントの構成図である。
【符号の説明】
【００１５】
１…ドリルアタッチメント
２…ドリルのダスト収集可動部
３…缶体
４…ドリル
【図１】
2008023622.tif 000003
【図２】
2008023622.tif 000004
【図３】
2008023622.tif 000005